(57)【要約】【課題】基地局モードおよび端末モードを備えた無線装置において、いずれかのモードを適切に設定したい。【解決手段】データ処理部３０は、ＡＰ処理部５０あるいはＳＴＡ処理部５２にて、通信を実行する。制御部３２は、ＡＰ処理部５０およびＳＴＡ処理部５２に関する動作を制御する。決定部１１２は、端末モードを選択している場合に、端末モードから基地局モードへの切替を決定する。通知部１１４は、基地局モードに設定された他の無線装置へ、決定した切替を通知する。切替部１１８は、切替を通知した後、基地局装置に設定された他の無線装置から切替が許可された場合に、ＳＴＡ処理部５２からＡＰ処理部５０へ動作対象を切り替える。【選択図】図１０
2010056955.tif 000002
【特許請求の範囲】
【請求項１】
複数の他の無線装置を多重接続する基地局モードと、基地局モードに設定された他の無線装置に接続される端末モードとのいずれかを選択して、通信を実行する通信部と、
前記通信部における基地局モードと端末モードとに関する動作を制御する制御部とを備え、
前記制御部は、
前記通信部を端末モードに設定している場合に、端末モードから基地局モードへの切替を決定する決定部と、
前記通信部を介して、基地局モードに設定された他の無線装置へ、前記決定部において決定した切替を通知する通知部と、
前記通知部において切替を通知した後、基地局モードに設定された他の無線装置から切替が許可された場合に、前記通信部を基地局モードへ切り替える切替部とを備えることを特徴とする無線装置。
【請求項２】
複数の他の無線装置へ同報すべき信号の生成を検出する検出部をさらに備え、
前記決定部は、前記検出部において前記信号の生成が検出された場合に、端末モードから基地局モードへの切替を決定することを特徴とする請求項１に記載の無線装置。
【請求項３】
前記通信部を介して、基地局モードに設定された他の無線装置との間において、接続のための処理を実行する接続部をさらに備え、
前記決定部は、前記接続部において接続のための処理がなされた場合に、端末モードから基地局モードへの切替を決定することを特徴とする請求項１に記載の無線装置。
【請求項４】
有線ネットワークへの接続を検出する検出部と、
前記決定部は、前記検出部において接続が検出された場合に、端末モードから基地局モードへの切替を決定することを特徴とする請求項１に記載の無線装置。
【請求項５】
ＡＣ電源との接続を検出する検出部と、
前記決定部は、前記検出部において接続が検出された場合に、端末モードから基地局モードへの切替を決定することを特徴とする請求項１に記載の無線装置。
【発明の詳細な説明】
【技術分野】
【０００１】
本発明は、通信技術に関し、特に他の無線装置との通信を実行する無線装置に関する。
【背景技術】
【０００２】
ＩＥＥＥ８０２．１１等の規格に準拠した無線ＬＡＮ（Ｌｏｃａｌ  Ａｒｅａ  Ｎｅｔｗｏｒｋ）が、近年、普及している。このような無線ＬＡＮには、２種類のネットワーク構成が含まれる。ひとつはインフラストラクチャ・モードであり、もうひとつはアドホック・モードである。さらに、無線ディストリビューション・システム（ＷＤＳ：Ｗｉｒｅｌｅｓｓ  Ｄｉｓｔｒｉｂｕｔｉｏｎ  Ｓｙｓｔｅｍ）とよばれるネットワーク構成も含まれる。インフラストラクチャ・モードは、基地局装置と、当該基地局装置にて形成される無線セル内に存在する端末装置とによって構成される。
【０００３】
また、ひとつの基地局装置と、当該基地局装置に接続される複数の端末装置との組合せによって形成されるネットワークは、ＢＳＳ（Ｂａｓｉｃ  Ｓｅｒｖｉｃｅ  Ｓｅｔ）とよばれる。基地局装置は、一般的に、有線のバックボーン・ネットワークに接続されており、バックボーン・ネットワークと端末装置との間においてパケット信号を中継する。さらに、基地局装置は、端末装置間のパケット信号も中継する。一方、アドホック・モードは、基地局装置を含まず、端末装置だけによって構成される。端末装置は、一般的に、パケット信号を中継する機能を有さず、パケット信号を互いに直接送信する。さらに、ＷＤＳは、基地局装置間でもパケット信号を中継する（例えば、非特許文献１参照）。
【非特許文献１】守倉正博、久保田周治、８０２．１１高速無線ＬＡＮ教科書、日本、インプレス、２００５年１月１日、ｐ．６０−６３
【発明の開示】
【発明が解決しようとする課題】
【０００４】
一般的に、基地局装置には、基地局装置としての機能（以下、「基地局モード」という）が実装され、端末装置には、端末装置としての機能（以下、「端末モード」という）が実装される。つまり、基地局装置と端末装置とは、それぞれ別の装置として構成される。一方、これらとは異なった形態の無線装置が提案されている。このような無線装置には、基地局モードと端末モードとが実装されており、いずれかかが選択される。そのため、このような無線装置にて形成された無線ネットワークでは、基地局モードを選択すべき無線装置が任意に設定される。しかしながら、無線ネットワークでの安定した通信を維持するために、各無線装置において、基地局モードあるいは端末モードの設定が適切になされる必要がある。
【０００５】
本発明はこうした状況に鑑みてなされたものであり、その目的は、基地局モードおよび端末モードを備えた無線装置において、いずれかのモードを適切に設定する技術を提供することにある。
【課題を解決するための手段】
【０００６】
上記課題を解決するために、本発明のある態様の無線装置は、複数の他の無線装置を多重接続する基地局モードと、基地局モードに設定された他の無線装置に接続される端末モードとのいずれかを選択して、通信を実行する通信部と、通信部における基地局モードと端末モードとに関する動作を制御する制御部とを備える。制御部は、通信部を端末モードに設定している場合に、端末モードから基地局モードへの切替を決定する決定部と、通信部を介して、基地局モードに設定された他の無線装置へ、決定部において決定した切替を通知する通知部と、通知部において切替を通知した後、基地局モードに設定された他の無線装置から切替が許可された場合に、通信部を基地局モードへ切り替える切替部とを備える。
【０００７】
なお、以上の構成要素の任意の組合せ、本発明の表現を方法、装置、システム、記録媒体、コンピュータプログラムなどの間で変換したものもまた、本発明の態様として有効である。
【発明の効果】
【０００８】
本発明によれば、基地局モードおよび端末モードを備えた無線装置において、いずれかのモードを適切に設定できる。
【発明を実施するための最良の形態】
【０００９】
本発明を具体的に説明する前に、概要を述べる。本発明の実施例は、複数の無線装置によって形成されるネットワークにて、通信を実行する通信システムに関する。各無線装置は、基地局モードと端末モードのいずれにも対応しており、いずれか一方を選択して使用する。前述のごとく、選択は適切になされる必要があるが、選択される場面は複数種類あり、それぞれに応じた処理がなされるべきである。以下では、１．において、通信システムの全体的な概要を説明した後に、２．から５．において、場面ごとに説明する。なお、通信システムには、前述の無線装置の他に、通常の基地局装置や通常の端末装置が含まれてもよいが、必要ない限り、ここでは、これらを省略して説明する。また、以下では、基地局モードと端末モードのいずれにも対応した無線装置を「無線装置」とよび、基地局装置専用の無線装置を「基地局装置」とよび、端末装置専用の無線装置を「端末装置」とよぶが、基地局装置専用の無線装置や端末装置専用の無線装置を「無線装置」とよぶこともある。
【００１０】
１．動作概要
通信システムは、インフラストラクチャ・モード、アドホック・モード、ＷＤＳ（ＡＰ間通信）に対応する。さらに、通信システムは、基地局モードと端末モードのいずれにも対応した無線装置が、基地局モードと端末モードのいずれかを選択して通信するモード（以下、「切替モード」という）にも対応する。まず、通信システムの構成として、インフラストラクチャ・モード、アドホック・モード、切替モードの構成を簡単に説明する。
【００１１】
図１（ａ）−（ｂ）は、本発明の実施例に係る通信システム１００の構成を示す。通信システム１００は、無線装置１０と総称される第１無線装置１０ａ、第２無線装置１０ｂ、第３無線装置１０ｃ、第４無線装置１０ｄを含む。図１（ａ）は、４つの無線装置１０がアドホック・モードで動作している場合を示している。各無線装置１０は、端末モードを選択しているか、端末装置そのものである。アドホック・ネットワークにおける通信処理として公知の技術が使用されればよいので、ここでは説明を省略するが、ひとつの無線装置１０は、通信対象となる無線装置１０へパケット信号を直接送信する。
【００１２】
図１（ｂ）は、４つの無線装置１０がインフラストラクチャ・モードで動作している場合を示している。第１無線装置１０ａは、基地局モードを選択しているか、基地局装置そのものである。一方、第２無線装置１０ｂ、第３無線装置１０ｃ、第４無線装置１０ｄは、端末モードを選択しているか、端末装置そのものである。端末モードの無線装置１０間の通信において、パケット信号は、基地局モードの無線装置１０にて中継される。例えば、第２無線装置１０ｂから第４無線装置１０ｄへパケット信号が送信される場合、第２無線装置１０ｂは、第１無線装置１０ａへパケット信号をまず送信する。第１無線装置１０ａは、受信したパケット信号を第４無線装置１０ｄへ送信する。
【００１３】
つまり、基地局モードの無線装置１０あるいは基地局装置は、最初の送信元および最終的な宛先が自らでないデータが含まれたパケット信号を通信対象とする。前述の例の場合、データの最初の送信元は、第２無線装置１０ｂであり、データの最終的な宛先は、第４無線装置１０ｄであり、基地局モードの第１無線装置１０ａは、いずれにも含まれない。また、基地局モードの無線装置１０あるいは基地局装置は、複数の端末モードの無線装置１０を多重接続する。多重接続には、ＣＳＭＡ（Ｃａｒｒｉｅｒ  Ｓｅｎｓｅ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＳＤＭＡ（Ｓｐａｃｅ  Ｄｉｖｉｓｉｏｎ  Ｍｕｌｔｉｐｌｅ  Ａｃｃｅｓｓ）が使用される。
【００１４】
一方、端末モードの無線装置１０あるいは端末装置は、最初の送信元あるいは最終的な宛先が自らであるデータが含まれたパケット信号を通信対象とする。前述の例の場合、第２無線装置１０ｂから送信されるパケット信号には、第２無線装置１０ｂを最初の送信元にしたデータが含まれ、第４無線装置１０ｄにて受信されるパケット信号には、第４無線装置１０ｄを最終的な宛先としたデータが含まれる。これは、図１（ａ）のアドホック・ネットワークにておいても同様である。また、インフラストラクチャ・モード、切替モードにおいて、端末モードの無線装置１０あるいは端末装置は、基地局モードに設定された無線装置１０に接続される。その際、ふたつの端末モードの無線装置１０は、直接通信を実行せずに、基地局モードに設定された無線装置１０を介して通信を実行する。
【００１５】
図２（ａ）−（ｂ）は、本発明の実施例に係る通信システム１００の別の構成を示す。図２（ａ）−（ｂ）は、４つの無線装置１０が切替モードで動作している場合を示している。図２（ａ）では、第１無線装置１０ａが基地局モードで動作し、第２無線装置１０ｂ、第３無線装置１０ｃ、第４無線装置１０ｄが端末モードで動作する。一方、図２（ｂ）では、第２無線装置１０ｂが基地局モードで動作し、第１無線装置１０ａ、第３無線装置１０ｃ、第４無線装置１０ｄが端末モードで動作する。切替モードでは、図２（ａ）の状態と図２（ｂ）の状態とが適宜切りかえられる。なお、切りかえられる期間およびタイミングは、任意の値でよい。ここで、図２（ａ）の状態は、図１（ｂ）と同等である。つまり、切替モードでは、所定のタイミングにおいて、インフラストラクチャ・モードと同様の処理がなされており、両者の違いは、基地局装置に相当する無線装置１０が変更になるか否かである。
【００１６】
２．起動時のモード設定
まず、概略を説明する。無線装置１０が、インフラストラクチャ・モード、アドホック・モード、切替モードを備えている場合、無線装置１０は、起動する際に、これらの動作モードのうちのいずれかを選択する必要がある。一般的に、起動する際、ユーザには、使用したい動作モードの希望がある。そのため、ユーザの希望を反映させるような動作モードの選択が好ましい。無線装置１０が切替モードで起動した場合、無線装置１０は、基地局モードあるいは端末モードを選択する必要がある。既に周囲に基地局モードや端末モードの無線装置１０が存在する可能性があるので、これらのモードの選択は、周囲の無線装置１０でのモードに応じて決定される方が好ましい。これに対応するために、本実施例に係る無線装置１０は、次の動作を実行する。
【００１７】
無線装置１０は、起動前にユーザから、インフラストラクチャ・モード、アドホック・モード、切替モードのいずれかの指示を受けつけ、指示に応じて、使用すべき動作モードを選択する。無線装置１０は、選択した動作モードとなるような設定を実行する。一方、無線装置１０は、切替モードで起動した場合、初期状態において端末モードを実行する。つまり、無線装置１０は、端末装置として起動する。その後、無線装置１０は、一定期間にわたって、他の無線装置１０からの報知信号、つまりビーコン信号を受信する。受信できない場合、周囲に基地局モードの無線装置１０が存在しないと推定されるので、無線装置１０は、端末モードから基地局モードに切りかわる。
【００１８】
図３は、本発明の実施例に係る無線装置１０の構成を示す。無線装置１０は、アンテナ２０、通信実行部２２、バッテリ２４を含む。また、通信実行部２２は、無線部２６、変復調部２８、データ処理部３０、制御部３２、操作部３４、ＩＦ部３６、記憶部３８を含む。さらに、データ処理部３０は、ＡＰ処理部５０、ＳＴＡ処理部５２を含み、制御部３２は、検出部４０、固定モード受付部４２、切替モード受付部４４、切替部４６、維持部４８を含む。
【００１９】
無線部２６は、他の無線装置１０との間においてパケット信号を使用しながら、通信を実行する。無線部２６は、受信処理として、アンテナ２０を介して受信した無線周波数のパケット信号に対して周波数変換を実行し、ベースバンドのパケット信号を生成する。さらに、無線部２６は、ベースバンドのパケット信号を変復調部２８に出力する。一般的に、ベースバンドのパケット信号は、同相成分と直交成分によって形成されるので、ふたつの信号線が示されるべきであるが、ここでは、図を明瞭にするためにひとつの信号線だけを示すものとする。また、無線部２６には、ＬＮＡ（Ｌｏｗ  Ｎｏｉｓｅ  Ａｍｐｌｉｆｉｅｒ）、ミキサ、ＡＧＣ、Ａ／Ｄ変換部も含まれる。
【００２０】
無線部２６は、送信処理として、変復調部２８から入力したベースバンドのパケット信号に対して周波数変換を実行し、無線周波数のパケット信号を生成する。さらに、無線部２６は、無線周波数のパケット信号をアンテナ２０から送信する。また、無線部２６には、ＰＡ（Ｐｏｗｅｒ  Ａｍｐｌｉｆｉｅｒ）、ミキサ、Ｄ／Ａ変換部も含まれる。
【００２１】
変復調部２８は、受信処理として、無線部２６からのベースバンドのパケット信号に対して、復調を実行する。さらに、変復調部２８は、復調した結果をデータ処理部３０に出力する。また、変復調部２８は、送信処理として、データ処理部３０からのデータに対して、変調を実行する。さらに、変復調部２８は、変調した結果をベースバンドのパケット信号として無線部２６に出力する。なお、ＩＥＥＥ８０２．１１ａ規格のようなＯＦＤＭ変調方式に無線装置１０が対応する場合、変復調部２８は、受信処理としてＦＦＴ（Ｆａｓｔ  Ｆｏｕｒｉｅｒ  Ｔｒａｎｓｆｏｒｍ）も実行し、送信処理としてＩＦＦＴ（Ｉｎｖｅｒｓｅ  Ｆａｓｔ  Ｆｏｕｒｉｅｒ  Ｔｒａｎｓｆｏｒｍ）も実行する。
【００２２】
また、ＩＥＥＥ８０２．１１ｂ規格のようなスペクトル拡散方式に無線装置１０が対応する場合、変復調部２８は、受信処理として逆拡散も実行し、送信処理として拡散も実行する。さらに、ＩＥＥＥ８０２．１１ｎのようなＭＩＭＯ（Ｍｕｌｔｉｐｌｅ  Ｉｎｐｕｔ  Ｍｕｌｔｉｐｌｅ  Ｏｕｔｐｕｔ）方式に無線装置１０が対応する場合、変復調部２８は、受信処理としてアダプティブアレイ信号処理も実行し、送信処理として複数のストリームへの分散処理も実行する。
【００２３】
ＡＰ処理部５０は、前述の基地局モードの処理を実行する。基地局モードの処理として、公知の基地局装置の技術が使用されればよいので、ここでは説明を省略するが、少なくとも前述のごとく、図示しない端末モードの無線装置１０間の通信を中継する。つまり、ＡＰ処理部５０は、受信処理として、変復調部２８からの復調結果であるデータを受けつける。当該データの最終的な宛先は、自らの無線装置１０ではなく、図示しない別の無線装置１０である。ＡＰ処理部５０は、送信処理として、図示しない別の無線装置１０を最終的な宛先としながら、受けつけたデータを変復調部２８へ出力する。当該データの最初の送信元は、自らの無線装置１０でなく、受信処理において受けつけたデータを送信した図示しない無線装置１０である。
【００２４】
ＳＴＡ処理部５２は、前述の端末モードの処理を実行する。端末モードの処理として、公知の端末装置の技術が使用されればよいので、ここでは説明を省略するが、少なくともネットワークの端部に配置され、中継処理を実行しない。つまり、ＳＴＡ処理部５２は、受信処理として、変復調部２８からの復調結果であるデータを受けつける。当該データの最終的な宛先は、自らの無線装置１０である。ＳＴＡ処理部５２は、受けつけたデータに対して所定の処理を実行した後に、その結果を制御部３２へ出力する。ＳＴＡ処理部５２は、送信処理として、図示しない別の無線装置１０を最終的な宛先としながら、制御部３２から受けつけたデータを変復調部２８へ出力する。当該データの最初の送信元は、自らの無線装置１０である。
【００２５】
制御部３２は、データ処理部３０における基地局モードと端末モードとに関する動作を制御する。つまり、制御部３２は、ＡＰ処理部５０の動作あるいはＳＴＡ処理部５２の動作を選択する。また、制御部３２は、無線装置１０の動作モードとして、インフラストラクチャ・モード、アドホック・モード、切替モードを規定し、これらの動作モードのいずれかを選択する。前述のごとく、アドホック・モードとは、ＡＰ処理部５０あるいはＳＴＡ処理部５２を固定的に使用する動作モードであり、切替モードとは、ＡＰ処理部５０およびＳＴＡ処理部５２を切りかえながら使用する動作モードである。なお、アドホック・モードの場合、ＳＴＡ処理部５２だけが使用される。
【００２６】
操作部３４は、ボタン等によって構成されており、ユーザからの指示を受けつける。また、パーソナルコンピュータと接続されるように無線装置１０が形成されている場合に、操作部３４は、パーソナルコンピュータに備えられたキーボード、マウスであってもよい。ＩＦ部３６は、図示しない機器や構成要素とのインターフェイスである。例えば、無線装置１０がパーソナルコンピュータやプリンタと接続される場合、ＩＦ部３６は、パーソナルコンピュータやプリンタとのインターフェイスである。一方、無線装置１０が携帯情報端末装置等に内蔵される場合、ＩＦ部３６は、携帯情報端末装置の各構成要素、例えば、ディスプレイ、スピーカ、ＣＰＵとのインターフェイスである。
【００２７】
ユーザは、操作部３４を使用して、動作モードの選択の指示を入力する。つまり、インフラストラクチャ・モード、アドホック・モード、切替モードに対する選択の指示が入力される。また、インフラストラクチャ・モードの場合、基地局モードあるいは端末モードの選択の指示も入力される。操作部３４によって入力された指示が、インフラストラクチャ・モードの選択指示あるいはアドホック・モードの選択指示である場合、固定モード受付部４２は、それらの指示を受けつける。また、固定モード受付部４２は、インフラストラクチャ・モードの選択指示を受けつけた場合、基地局モードあるいは端末モードの選択指示も受けつける。
【００２８】
操作部３４によって入力された指示が、切替モードの選択指示である場合、切替モード受付部４４は、当該指示を受けつける。制御部３２は、本無線装置１０を起動する際に、データ処理部３０の動作モードとして、インフラストラクチャ・モード、アドホック・モード、切替モードのいずれかを選択し、選択した動作モードを設定する。さらに、制御部３２は、動作モードにあわせて、ＡＰ処理部５０またはＳＴＡ処理部５２のいずれかを動作させる。具体的に説明すると、固定モード受付部４２がインフラストラクチャ・モードの選択指示であり、かつ基地局モードの選択指示を受けつけた場合、制御部３２はＡＰ処理部５０を動作させる。
【００２９】
一方、固定モード受付部４２がインフラストラクチャ・モードの選択指示であり、かつ端末モードの選択指示を受けつけた場合、あるいは固定モード受付部４２がアドホック・モードの選択指示を受けつけた場合、制御部３２は、ＳＴＡ処理部５２を動作させる。切替モード受付部４４が切替モードの選択指示を受けつけた場合、制御部３２は、ＳＴＡ処理部５２を動作させる。つまり、切替モードの場合、制御部３２は、ＳＴＡ処理部５２を選択しながら、無線装置１０を起動させる。無線装置１０がインフラストラクチャ・モードあるいはアドホック・モードで動作する場合、制御部３２では、基地局モードあるは端末モードがユーザの指示によって特定されている。一方、無線装置１０が切替モードで動作する場合、制御部３２では、基地局モードあるは端末モードがユーザの指示によって特定されておらず、初期値として、端末モードが自動的に選択される。
【００３０】
記憶部３８は、各種のデータおよび設定を記憶する。例えば、記憶部３８は、固定モード受付部４２や切替モード受付部４４において受けつけた設定を記憶する。バッテリ２４は、無線装置１０を駆動させる電源である。なお、無線装置１０は、バッテリ２４の代わりにＡＣアダプターによって、駆動されてもよい。
【００３１】
以下では、切替モードとして、無線装置１０が起動された場合の処理を説明する。このような場合では、前述のごとく、ＳＴＡ処理部５２が起動されている。検出部４０は、無線部２６、変復調部２８、ＳＴＡ処理部５２を介して、起動してから一定期間を経過するまでに、図示しない他の無線装置１０から送信されたパケット信号であって、かつ報知情報が含まれたパケット信号、つまりビーコン信号を受信するかを検出する。このようなビーコン信号を受信した場合、本無線装置１０の近傍に、基地局モードの別の無線装置１０あるいは基地局装置が存在するといえる。一定期間の間にビーコン信号を検出しなければ、検出部４０は、切替モード受付部４４へその旨を通知する。さらに、切替モード受付部４４は、その旨を切替部４６へ通知する。切替部４６は、通知を受けつけると、ＳＴＡ処理部５２の動作を停止させて、ＡＰ処理部５０を動作させる。つまり、切替部４６は、端末モードから基地局モードへデータ処理部３０の動作を切り替える。
【００３２】
一方、検出部４０は、一定期間の間にビーコン信号を検出すると、ビーコン信号の内容とともにその旨を切替モード受付部４４へ出力する。ここで、ビーコン信号には、当該ビーコン信号を送信した装置に関する情報が含まれている。このような情報のひとつは、ビーコン信号の送信元が基地局モードおよび端末モードに対応した別の無線装置１０であるか、通常の基地局装置であるかという情報である。切替モード受付部４４は、ビーコン信号を検出した旨を受けつけると、ビーコン信号の内容をもとに、送信元の装置の種類を確認する。基地局モードおよび端末モードに対応した別の無線装置１０である場合、切替モード受付部４４は、受けつけた情報を維持部４８へ出力する。一方、通常の基地局装置である場合、切替モード受付部４４は、受けつけた情報を切替部４６へ出力する。
【００３３】
維持部４８は、切替モード受付部４４から情報を受けつけると、ＳＴＡ処理部５２の動作を維持させる。つまり、維持部４８は、端末モードの設定を維持する。切替部４６は、切替モード受付部４４から情報を受けつけると、ＳＴＡ処理部５２の動作を停止させて、ＡＰ処理部５０を動作させる。
【００３４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
以上の構成による通信システム１００の動作を説明する。図４は、無線装置１０における設定手順を示すフローチャートである。電源がＯＮにされる（Ｓ１０）。切替モード受付部４４が切替モードでの起動の指示を受けつけていれば（Ｓ１２のＹ）、制御部３２は、ＳＴＡ処理部５２の動作を起動させる。つまり、制御部３２は、端末モード（以下、「ＳＴＡモード」ともいうが、両者を区別せずに使用する）を設定する（Ｓ１４）。検出部４０が一定期間にビーコン信号を受信しなければ（Ｓ１６のＮ）、切替部４６は、ＳＴＡ処理部５２の動作を停止させて、ＡＰ処理部５０を動作させる。つまり、切替部４６は、基地局モード（以下、「ＡＰモード」ともいうが、両者を区別せずに使用する）に切り替える（Ｓ２０）。
【００３６】
一方、検出部４０が一定期間にビーコン信号を受信し（Ｓ１６のＹ）、ビーコン信号の送信元が、通常の基地局装置（以下、「ＡＰ専用装置」ともいうが、両者を区別せずに使用する）である場合（Ｓ１８のＹ）、切替部４６は、ＡＰモードに切り替える（Ｓ２０）。ビーコン信号の送信元が、ＡＰ専用装置でない場合（Ｓ１８のＮ）、処理は終了される。切替モード受付部４４が切替モードでの起動の指示を受けつけておらず（Ｓ１２のＮ）、つまり、固定モード受付部４２がインフラストラクチャ・モードあるいはアドホック・モードでの起動の指示を受けつけている場合、固定モード受付部４２は、ＡＰモードかＳＴＡモードかを確認する。ＡＰモードである場合（Ｓ２２のＹ）、制御部３２は、ＡＰ処理部５０を動作させる。つまり、制御部３２は、ＡＰモードを設定する（Ｓ２４）。一方、ＡＰモードでない場合（Ｓ２２のＮ）、制御部３２は、ＳＴＡモードを設定する（Ｓ２６）。
【００３７】
本実施例によれば、起動する際にユーザからの指示をもとに動作モードを選択するので、ユーザの希望を反映できる。また、切替モードにて起動する際に、端末モードを選択するので、基地局モードの無線装置が複数存在する状況を回避でき、通信の安定性を維持できる。また、ビーコン信号を受信しなければ、端末モードから基地局モードへ切りかわるので、切替モードによる通信を実行できる。また、受信したビーコン信号が、ＡＰ専用装置から送信された場合、端末モードから基地局モードへ切りかわるので、インフラストラクチャ・モードによる通信とは別に、切替モードによる通信を実行できる。
【００３８】
３．接続時のモード設定
まず、概略を説明する。無線ＬＡＮでの無線装置における簡単接続方法として、ＷＰＳ（Ｗｉ−Ｆｉ  Ｐｒｏｔｅｃｔｅｄ  Ｓｅｔｕｐ）が開発されている。ＷＰＳの前提として、近年、無線ＬＡＮが普及するにつれ、無線ＬＡＮにおけるセキュリティ保護強化が求められている。このため、暗号鍵や初期化ベクトル（ＩＶ：Ｉｎｉｔｉａｌ  Ｖｅｃｔｏｒ）の長さが短く、メッセージの完全性を保証できなかったＷＥＰ（Ｗｉｒｅｄ  Ｅｑｕｉｖａｌｅｎｔ  Ｐｒｉｖａｃｙ）のかわりに、暗号鍵の長さを拡張し、一定期間ごとに暗号鍵を更新可能なＴＫＩＰ（Ｔｅｍｐｏｒａｌ  Ｋｅｙ  Ｉｎｔｅｇｒｉｔｙ  Ｐｒｏｔｏｃｏｌ）や、メッセージの改ざんを検出するＭＩＣ（Ｍｅｓｓａｇｅ  Ｉｎｔｅｇｒｉｔｙ  Ｃｏｄｅ）を採用するＷＰＡ（Ｗｉ−Ｆｉ  Ｐｒｏｔｅｃｔｅｄ  Ａｃｃｅｓｓ）が開発され、無線ＬＡＮのセキュリティ保護強化が図られている。
【００３９】
ＷＰＡは、無線ＬＡＮ装置間での相互認証を実現するために、ＰＳＫ（Ｐｒｅ−Ｓｈａｒｅｄ  Ｋｅｙ）をサポートしている。ＰＳＫにより保護された無線ＬＡＮネットワークを構築するために、利用者は、基地局装置と、この基地局装置と接続する端末装置にＰＳＫを設定しておく必要がある。また、ＰＳＫ以外にも、無線ＬＡＮネットワークを識別する情報であるＳＳＩＤ（Ｓｅｒｖｉｃｅ  Ｓｅｔ  Ｉｄｅｎｔｉｆｉｅｒ）を設定するなど、無線ＬＡＮネットワークのセキュリティ保護のために、利用者は数多くの設定を行う必要がある。
【００４０】
ＷＰＳは、このような利用者の負担を軽減するため開発された。ＷＰＳに対応する無線装置１０では、個人暗証番号（ＰＩＮ：Ｐｅｒｓｏｎａｌ  Ｉｄｅｎｔｉｆｉｃａｔｉｏｎ  Ｎｕｍｂｅｒ）を入力する、もしくは専用ボタンを押す（ＰＢＣ：Ｐｕｓｈ−Ｂｕｔｔｏｎ  Ｃｏｎｆｉｇｕｒａｔｉｏｎ）により、ＳＳＩＤ、ＷＰＡなどの設定を行う。このようなＷＰＳ対応の無線装置１０を利用することで、利用者は、セキュアな無線ＬＡＮネットワークを簡単に構築できる
【００４１】
ここでは、このようなＷＰＳを使用してふたつの無線装置１０が接続する際に、それらのモードも設定される必要がある。ふたつの無線装置１０が既に起動している場合、それらには、基地局モードや端末モードが既に設定されている。これらのモードの設定は、他の無線装置１０との関係を反映していることもあるので、接続後も同じ状態である方が好ましい。これに対応するために本実施例に係る無線装置１０は、簡単接続を実行する場合に、接続の前後でのモードを維持するように、基地局モードや端末モードを設定する。
【００４２】
無線装置１０の構成は、図３と同様のタイプである。ここでは、図３との差異を中心に説明する。本無線装置１０と、他の無線装置１０とが互いのパケット信号が受信できる距離に配置され、両方のボタンが押し下げられることによって、ＷＰＳによる簡単接続が両者の間で実行される。つまり、本無線装置１０において、ユーザは、簡単接続を実行する際に、操作部３４のボタンを押し下げる。制御部３２は、ボタンの押し下げを検出すると、無線部２６、変復調部２８、データ処理部３０を介して、図示しない無線装置１０との間でＷＰＳによる簡単接続を実行する。なお、ＷＰＳによる簡単接続として公知の技術が使用されればよいので、ここでは説明を省略する。
【００４３】
なお、前述のごとく、データ処理部３０において、ＡＰ処理部５０あるいはＳＴＡ処理部５２が起動されており、記憶部３８は、その情報（以下、「モード情報」という）を記憶する。制御部３２は、簡単接続を実行する前に、他の無線装置１０との間でモード情報を交換する。ここで、モード情報の交換には、ふたつの方法が存在する。ひとつは、制御部３２が、データ処理部３０、変復調部２８、無線部２６を介して、他の無線装置１０へモード情報を送信し、他の無線装置１０においてモードを決定してもらう方法である。
【００４４】
もうひとつは、制御部３２が、無線部２６、変復調部２８、データ処理部３０を介して、他の無線装置１０からのモード情報を受信して、モードを決定する。つまり、本無線装置１０あるいは他の無線装置１０が、両方のモード情報を把握して、両方のモードを決定する。決定したモードは、相手方の無線装置１０にも通知される。つまり、制御部３２は、無線部２６、変復調部２８、データ処理部３０を介して、他の無線装置１０との間で行ったモード情報の交換結果をもとに、ＡＰ処理部５０あるいはＳＴＡ処理部５２を動作させる。
【００４５】
ここで、モードの決定規則は、例えば、次のように示される。（１）両方が基地局モードとして動作している場合、現在の設定は維持される。つまり、両方の間で基地局間通信（以下、「ＡＰ間通信」というが、両者を区別せずに使用する）が実現される。なお、基地局間通信として公知の技術が使用されればよいので、ここでは説明を省略する。（２）一方が既に基地局モードとして動作しているか、基地局モードになると決定した場合、一方が基地局モードに設定され、他方が端末モードに設定される。（３）両方が端末モードで動作しており、かつ両方が基地局モードに変更しない場合、端末モードの設定が維持される。つまり、両方の間でアドホック・モードが実現される。基地局モードに変更しない場合とは、基地局モードとして動作することをユーザが希望しないときや、バッテリの残量が少ないとき、また、受信レベルが下がり他のエリアへ移動することを検出したときに相当する。
【００４６】
以上の構成による通信システム１００の動作を説明する。図５は、本発明の実施例に係る通信システム１００における設定手順を示すシーケンス図である。第１無線装置１０ａのボタンが押し下げられ（Ｓ４０）、第２無線装置１０ｂのボタンも押し下げられる（Ｓ４２）。第１無線装置１０ａは、第２無線装置１０ｂへ、モード情報を情報信号として送信する（Ｓ４４）。第２無線装置１０ｂは、モードを決定する（Ｓ４６）。第２無線装置１０ｂは、第１無線装置１０ａへ、決定したモードを通知信号として送信する（Ｓ４８）。第１無線装置１０ａは、モードを設定し（Ｓ５０）、第２無線装置１０ｂも、モードを設定する（Ｓ５２）。第１無線装置１０ａと第２無線装置１０ｂとは、ＷＰＳによる設定処理を実行する（Ｓ５４）。
【００４７】
図６は、本発明の実施例に係る通信システム１００における別の設定手順を示すシーケンス図である。第１無線装置１０ａのボタンが押し下げられ（Ｓ７０）、第２無線装置１０ｂのボタンも押し下げられる（Ｓ７２）。第１無線装置１０ａは、第２無線装置１０ｂへ、モード情報送信の要求信号を送信する（Ｓ７４）。第２無線装置１０ｂは、第１無線装置１０ａへ、モード情報を情報信号として送信する（Ｓ７６）。第１無線装置１０ａは、モードを決定する（Ｓ７８）。第１無線装置１０ａは、第２無線装置１０ｂへ、決定したモードを通知信号として送信する（Ｓ８０）。第１無線装置１０ａは、モードを設定し（Ｓ８２）、第２無線装置１０ｂも、モードを設定する（Ｓ８４）。第１無線装置１０ａと第２無線装置１０ｂとは、ＷＰＳによる設定処理を実行する（Ｓ８６）。
【００４８】
図７は、図５または図６における決定手順を示すフローチャートである。本無線装置１０の制御部３２、あるいは他の無線装置１０の制御部３２は、両方がＡＰモードであれば（Ｓ１００のＹ）、ＡＰ間通信を実行する（Ｓ１０２）。両方がＡＰモードでなく（Ｓ１００のＮ）、いずれか一方がＡＰモードであれば（Ｓ１０４のＹ）、一方がＡＰモードに決定され、他方がＳＴＡモードに決定される（Ｓ１０６）。いずれか一方がＡＰモードでなければ（Ｓ１０４のＮ）、アドホック通信の実行が決定される（Ｓ１０８）。
【００４９】
本実施例によれば、簡単接続を実行する際に、モードを調節するので、接続後の通信状態へスムーズに移行できる。また、それまで使用したモードを可能な限り使用するので、他の無線装置に与える影響を低減できる。
【００５０】
４．ＡＰモードからＳＴＡモードへの切替
まず、概要を説明する。基地局モードで動作している無線装置１０が、基地局モードから端末モードへの切替を要求する場合がある。例えば、当該無線装置１０のバッテリ残量が少なくなったときである。当該無線装置１０が基地局モードから端末モードへ切り替えた場合であっても、通信システム１００には、それまでと同様に安定した通信が要求される。これに対応するために本発明に係る無線装置１０は、周囲の他の無線装置１０の状態を取得し、いずれかの他の無線装置１０を選択する。また、無線装置１０は、選択した他の無線装置１０へ基地局モードへの切替を要求する。
【００５１】
図８は、本発明の実施例に係る無線装置１０の別の構成を示す。図８の無線装置１０は、図３の無線装置１０と同様のタイプである。ここでは、差異を中心に説明する。制御部３２は、検出部４０、選択部６０、切替部６２を含む。検出部４０は、本無線装置１０に備えられたバッテリ２４の残量を監視する。検出部４０は、ＡＰ処理部５０が動作している場合、つまり基地局モードが設定されている場合に、バッテリ２４の残量がしきい値より低くなったことを検出すると、その旨を選択部６０へ通知する。
【００５２】
選択部６０は、検出部４０からの通知を受けつけると、ＡＰ処理部５０、変復調部２８、無線部２６を介して他の無線装置１０へ、バッテリ残量が低下した旨をリソース情報として報知する。通知後、選択部６０は、無線部２６、変復調部２８、データ処理部３０を介して、他の無線装置１０からのリソース情報を取得する。例えば、リソース情報には、他の無線装置１０におけるバッテリ残量の情報が含まれている。選択部６０は、バッテリ残量がしきい値よりも大きい他の無線装置１０を選択する。なお、複数の他の無線装置１０が該当する場合、選択部６０は、バッテリ残量が最大の他の無線装置１０を選択する。選択部６０は、ＡＰ処理部５０、変復調部２８、無線部２６を介して、選択した他の無線装置１０へ、端末モードから基地局モードへの変更を指示する。切替部６２は、選択部６０からの指示の出力後、ＡＰ処理部５０の動作を停止させ、ＳＴＡ処理部５２を動作させる。つまり、切替部６２は、基地局モードから端末モードへデータ処理部３０を切り替える。
【００５３】
以上の構成による通信システム１００の動作を説明する。図９は、無線装置１０における設定手順を示すフローチャートである。検出部４０は、バッテリ２４の電源状況を取得する（Ｓ１２０）。バッテリ２４の残量がしきい値よりも低い場合（Ｓ１２２のＹ）、選択部６０は、リソース情報を報知する（Ｓ１２４）とともに、リソース情報を取得する（Ｓ１２６）。ＡＰ動作条件のよい無線装置１０があれば（Ｓ１２８のＹ）、選択部６０は、当該無線装置１０へＡＰモードへの切替を依頼する（Ｓ１３０）。一方、ＡＰ動作条件のよい無線装置１０がなければ（Ｓ１２８のＮ）、選択部６０は、ＡＰモード継続不能を通知する（Ｓ１３２）。その後、切替部６２は、ＳＴＡモードへの切替を実行する（Ｓ１３４）。バッテリ２４の残量がしきい値よりも低くない場合（Ｓ１２２のＮ）、処理は終了される。
【００５４】
本実施例によれば、バッテリの残量が少なくなった場合に、基地局モードから端末モードへ切りかわるので、バッテリの消費を低減できる。また、切りかわる前に、他の無線装置へ基地局モードへの切替を指示するので、基地局モードで動作する無線装置がネットワーク内に存在しないという状況を回避できる。また、基地局モードで動作する無線装置がネットワーク内に存在しないという状況が回避されるので、安定した通信を維持できる。また、基地局モードで動作する無線装置がネットワーク内に存在しないという状況が回避されるので、切替モードによる通信を維持できる。
【００５５】
５．ＳＴＡモードからＡＰモードへの切替
まず、概略を説明する。無線装置１０が、基地局モードから端末モードへ切りかわる際のトリガーについては説明した。ここでは、無線装置１０が、端末モードから基地局モードへ切りかわる際のトリガーについて説明する。前述のごとく、基地局モードに設定された無線装置１０は、端末モードに設定された複数の無線装置１０と通信する。つまり、一般的に、基地局モードに設定された無線装置１０での処理量は、端末モードに設定された無線装置１０での処理量よりも多い。そのため、複数の無線装置１０の中には、基地局モードに適した無線装置１０もあれば、基地局モードに適さない無線装置１０もある。
【００５６】
そこで、無線装置１０は、自らが基地局モードに適しているか否かを検出する。当該検出について、以下ではさまざまな態様を説明する。まずは、複数の他の無線装置１０へ送信すべきデータが発生した場合に、無線装置１０は、基地局モードに適していることを検出する。前述のごとく、端末モードに設定された無線装置１０は、他の無線装置１０へデータを直接送信できない。そのため、端末モードに設定された無線装置１０から送信されたデータは、基地局モードに設定された無線装置１０を介して、複数の他の無線装置１０へ送信される。これに対して、基地局モードに設定された無線装置１０は、複数の他の無線装置１０へデータを直接送信できる。そのため、複数の無線装置１０へ送信すべきデータの発生は、基地局モードに適していることといえる。
【００５７】
また、通信システム１００での端末モードや基地局モードへの切替は、スムーズになされるべきである。そのため、端末モードに設定された無線装置１０のうち、基地局モードに適している無線装置１０は、既に基地局モードに設定された無線装置１０へ切りかわることを通知し、許可を受けた場合に、端末モードから基地局モードへ切りかわる。なお、既に基地局モードに設定された無線装置１０は、端末モードへ切りかわる。
【００５８】
図１０は、本発明の実施例に係る無線装置１０のさらに別の構成を示す。図１０の無線装置１０は、図３の無線装置１０と同様のタイプである。ここでは、差異を中心に説明する。制御部３２は、検出部１１０、決定部１１２、通知部１１４、受付部１１６、切替部１１８を含む。
【００５９】
前述のごとく、ＡＰ処理部５０は、基地局モードによる通信を実行し、ＳＴＡ処理部５２は、端末モードによる通信を実行しており、ＡＰ処理部５０またはＳＴＡ処理部５２が選択されることによって、パケット信号による通信がなされる。制御部３２は、ＡＰ処理部５０またはＳＴＡ処理部５２を選択するようにデータ処理部３０を制御する。ここでは、説明の前提として、ＳＴＡ処理部５２が選択されているとする。
【００６０】
検出部１１０は、無線装置１０に含まれたアプリケーションプログラム処理部あるいは無線装置１０に接続されたアプリケーションプログラム処理部（図示せず）にて生成されるデータを監視する。ここでは、特に、データの宛先およびデータ量を監視する。また、検出部１１０は、宛先数に対するしきい値「Ｎ」とデータ量に対するしきい値「Ｍ」とを予め規定する。検出部１１０は、宛先数とＮとを比較し、データ量とＭとを比較する。宛先数がＮ以上である場合、あるいはデータ量がＭ以上である場合、検出部１１０は、複数の他の無線装置１０へ同報すべきデータの生成あるいは大量のデータの生成を検出する。検出部１１０は、検出内容を決定部１１２へ出力する。
【００６１】
決定部１１２は、検出部１１０から検出内容を受けつけると、ＳＴＡ処理部５２の選択からＡＰ処理部５０の選択への切替を決定する。つまり、決定部１１２は、検出部１１０においてＮ以上の宛先へ送信すべきデータの生成が検出された場合、あるいは検出部１１０においてＭ以上のデータ量のデータの生成が検出された場合に、ＳＴＡ処理部５２の選択からＡＰ処理部５０の選択への切替を決定する。決定部１１２は、切替を決定した場合に、その旨を通知部１１４へ出力する。
【００６２】
通知部１１４は、決定部１１２から、決定の内容を受けつける。通知部１１４は、決定の内容、つまり切替の決定が含まれたパケット信号を生成する。また、通知部１１４は、ＳＴＡ処理部５２、変復調部２８、無線部２６を介して、基地局モードに設定された他の無線装置１０（図示せず）へパケット信号を通知する。つまり、通知部１１４は、基地局モードに設定された他の無線装置１０へ切替の決定を通知する。
【００６３】
受付部１１６は、通知部１１４において切替を通知した後、無線部２６、変復調部２８、ＳＴＡ処理部５２を介して、基地局モードに設定された他の無線装置１０からのパケット信号を受けつける。当該パケット信号には、切替の許可が含まれている。これは、基地局モードに設定された他の無線装置１０によって、ＳＴＡ処理部５２の選択からＡＰ処理部５０の選択への切替が許可された状態といえる。受付部１１６は、切替の許可を切替部１１８へ出力する。切替部１１８は、ＳＴＡ処理部５２の選択をＡＰ処理部５０の選択へ切り替える。その結果、ＳＴＡ処理部５２の動作が中止され、ＡＰ処理部５０が起動される。
【００６４】
ＡＰ処理部５０は、変復調部２８、無線部２６を介して、基地局モードに切りかわった旨が含まれたパケット信号を報知する。図示しない他の無線装置１０は、新たな基地局モードの無線装置１０を認識する。特に、それまで基地局モードに設定された無線装置１０は、端末モードに切りかわる。
【００６５】
以上の構成による通信システム１００の動作を説明する。図１１は、無線装置１０における設定手順を示すフローチャートである。ＳＴＡ処理部５２は、ＳＴＡモードを実行する（Ｓ２００）。検出部１１０が、Ｎ以上の無線装置１０へ送信すべきデータを検出した場合（Ｓ２０２のＹ）、あるいはＮ以上の無線装置１０へ送信すべきデータを検出せず（Ｓ２０２のＮ）、データ量がＭ以上である場合（Ｓ２０４のＹ）、ＡＰ処理部５０があれば（Ｓ２０６のＹ）、決定部１１２はＳＴＡ処理部５２からＡＰ処理部５０への切替を決定する。一方、データ量がＭ以上でない場合（Ｓ２０４のＮ）、およびＡＰ処理部５０がなければ（Ｓ２０６のＮ）、ステップ２０２へ戻る。通知部１１４は、ＡＰモードに設定された無線装置１０へ切替を通知する（Ｓ２０８）。受付部１１６が許可を受けつければ（Ｓ２１０のＹ）、切替部１１８は、ＳＴＡモードからＡＰモードへの切替処理を実行する（Ｓ２１２）。一方、受付部１１６が許可を受けつけなければ（Ｓ２１０のＮ）、ステップ２１２は、スキップされる。
【００６６】
次に別の実施例を説明する。別の実施例は、これまでの説明と比較して、基地局モードに適しているか否かの検出の条件が異なる。ここでは、通信システム１００に新たに参加するタイミングが、基地局モードに適している場合とする。ある程度の期間にわたって基地局モードに設定された無線装置１０は、その期間にわたって高負荷の処理を実行している。そのため、バッテリ駆動の場合にバッテリ残量が少なくなっていたり、筐体の温度が上昇していたりする。一方、通信システム１００へ新たに参加する無線装置１０は、そのような状況になっていないので、基地局モードに適しているといえる。
【００６７】
図１２は、本発明の実施例に係る無線装置１０のさらに別の構成を示す。図１２の無線装置１０は、図１０の無線装置１０と同様のタイプである。ここでは、差異を中心に説明する。制御部３２は、接続部１２０、決定部１１２、通知部１１４、受付部１１６、切替部１１８を含む。
【００６８】
前述のごとく、ＡＰ処理部５０は、基地局モードによる通信を実行し、ＳＴＡ処理部５２は、端末モードによる通信を実行しており、ＡＰ処理部５０またはＳＴＡ処理部５２が選択されることによって、パケット信号による通信がなされる。制御部３２は、ＡＰ処理部５０またはＳＴＡ処理部５２を選択するようにデータ処理部３０を制御する。ここでは、説明の前提として、ＳＴＡ処理部５２が選択されているとする。
【００６９】
接続部１２０は、ＳＴＡ処理部５２、変復調部２８、無線部２６を介して、図示しない基地局モードに設定された他の無線装置１０との間において、接続のための処理を実行する。ここで、接続のための処理は、前述の簡単接続に相当する。簡単接続はこれまでと同様であるので、ここでは説明を省略する。接続部１２０は、接続が完了した場合、つまり基地局モードに設定された他の無線装置１０からの認証を受けつけた場合に、接続の完了を決定部１１２へ出力する。決定部１１２は、接続部１２０から接続の完了を受けつけると、ＳＴＡ処理部５２の選択からＡＰ処理部５０の選択への切替を決定する。つまり、決定部１１２は、接続のための処理がなされた場合に、ＳＴＡ処理部５２の選択からＡＰ処理部５０の選択への切替を決定する。以降の処理はこれまでの説明と同様であるので、ここでは説明を省略する。
【００７０】
以上の構成による通信システム１００の動作を説明する。図１３は、無線装置１０における設定手順を示すフローチャートである。ＳＴＡ処理部５２は、ＳＴＡモードを実行する（Ｓ２３０）。接続部１２０がＡＰモードに設定された無線装置１０からの認証ＯＫを検出した場合（Ｓ２３２のＹ）、ＡＰ処理部５０があれば（Ｓ２３４のＹ）、決定部１１２はＳＴＡ処理部５２からＡＰ処理部５０への切替を決定する。一方、接続部１２０がＡＰモードに設定された無線装置１０からの認証ＯＫを検出しない場合（Ｓ２３２のＮ）、およびＡＰ処理部５０がなければ（Ｓ２３４のＮ）、ステップ２３２へ戻る。通知部１１４は、ＡＰモードに設定された無線装置１０へ切替を通知する（Ｓ２３６）。受付部１１６が許可を受けつければ（Ｓ２３８のＹ）、切替部１１８は、ＳＴＡモードからＡＰモードへの切替処理を実行する（Ｓ２４０）。一方、受付部１１６が許可を受けつけなければ（Ｓ２３８のＮ）、ステップ２４０は、スキップされる。
【００７１】
次に別の実施例を説明する。別の実施例は、これまでの説明と比較して、基地局モードに適しているか否かの検出の条件が異なる。ここでは、有線ネットワークへの接続を検出したときが、基地局モードに適している場合とする。基地局モードに設定された無線装置１０が有線ネットワークに直接接続されていれば、他の無線装置１０は、基地局モードに設定された無線装置１０へアクセスすれば、有線ネットワークを介して、インターネットに接続できる。つまり、通信システム１００内でのデータ転送が少なくされる。そのため、有線ネットワークに直接接続された無線装置１０は、基地局モードに適しているといえる。
【００７２】
図１４は、本発明の実施例に係る無線装置１０のさらに別の構成を示す。図１４の無線装置１０は、図１０の無線装置１０と同様のタイプである。ここでは、差異を中心に説明する。通信実行部２２は、有線通信部１２２を含む。
【００７３】
有線通信部１２２は、有線ネットワークに接続されることによって、有線ネットワークによる通信を実行する。例えば、有線通信部１２２は、有線ネットワークを介してインターネットにアクセスする。また、無線部２６、変復調部２８、ＡＰ処理部５０と、有線通信部１２２とによって、無線ネットワークと有線ネットワークとの間でデータが中継される。
【００７４】
検出部１１０は、有線通信部１２２が有線ネットワークに接続されていることを検出する。検出には、公知の技術が使用されればよいが、例えば、有線通信部１２２から、有線ネットワーク上の所定のアドレスに対して信号を送信し、当該信号に対する応答を受信した場合に、検出部１１０は、有線ネットワークとの接続を検出する。検出部１１０は、接続を検出した場合に、接続の検出を決定部１１２へ出力する。決定部１１２は、接続部１２０から接続の検出を受けつけると、ＳＴＡ処理部５２の選択からＡＰ処理部５０の選択への切替を決定する。以降の処理はこれまでの説明と同様であるので、ここでは説明を省略する。
【００７５】
以上の構成による通信システム１００の動作を説明する。図１５は、無線装置１０における設定手順を示すフローチャートである。ＳＴＡ処理部５２は、ＳＴＡモードを実行する（Ｓ２６０）。有線通信部１２２が有線でネットワークに接続していることを検出部１１０が検出した場合（Ｓ２６２のＹ）、ＡＰ処理部５０があれば（Ｓ２６４のＹ）、決定部１１２はＳＴＡ処理部５２からＡＰ処理部５０への切替を決定する。一方、有線通信部１２２が有線でネットワークに接続していることを検出部１１０が検出しない場合（Ｓ２６２のＮ）、およびＡＰ処理部５０がなければ（Ｓ２６４のＮ）、ステップ２６２へ戻る。通知部１１４は、ＡＰモードに設定された無線装置１０へ切替を通知する（Ｓ２６６）。受付部１１６が許可を受けつければ（Ｓ２６８のＹ）、切替部１１８は、ＳＴＡモードからＡＰモードへの切替処理を実行する（Ｓ２７０）。一方、受付部１１６が許可を受けつけなければ（Ｓ２６８のＮ）、ステップ２７０は、スキップされる。
【００７６】
次に別の実施例を説明する。別の実施例は、これまでの説明と比較して、基地局モードに適しているか否かの検出の条件が異なる。ここでは、ＡＣ電源との接続を検出したときが、基地局モードに適している場合とする。前述のごとく、基地局モードに設定された無線装置１０での処理量は、端末モードに設定された無線装置１０での処理量よりも一般的に大きい。そのため、基地局モードに設定された無線装置１０では、端末モードに設定された無線装置１０よりも、消費電力が大きい。そのため、バッテリ駆動よりもＡＣ電源駆動の方が、基地局モードに適しているといえる。
【００７７】
図１６は、本発明の実施例に係る無線装置１０のさらに別の構成を示す。図１６の無線装置１０は、図１０の無線装置１０と同様のタイプである。ここでは、差異を中心に説明する。無線装置１０は、ＡＣ電源１２４に接続されている。
【００７８】
ＡＣ電源１２４は、無線装置１０へ電源を供給する。検出部１１０は、ＡＣ電源１２４との接続、つまりＡＣ電源１２４によって電源が供給されていることを検出する。当該検出には、公知の技術が使用されればよいので、ここでは説明を省略する。決定部１１２は、検出部１１０において接続が検出された場合に、ＳＴＡ処理部５２の選択からＡＰ処理部５０の選択への切替を決定する。以降の処理はこれまでの説明と同様であるので、ここでは説明を省略する。
【００７９】
以上の構成による通信システム１００の動作を説明する。図１７は、無線装置１０における設定手順を示すフローチャートである。ＳＴＡ処理部５２は、ＳＴＡモードを実行する（Ｓ２９０）。ＡＣ電源１２４に接続していることを検出部１１０が検出した場合（Ｓ２９２のＹ）、ＡＰ処理部５０があれば（Ｓ２９４のＹ）、決定部１１２はＳＴＡ処理部５２からＡＰ処理部５０への切替を決定する。一方、ＡＣ電源１２４に接続していることを検出部１１０が検出しない場合（Ｓ２９２のＮ）、およびＡＰ処理部５０がなければ（Ｓ２９４のＮ）、ステップ２９２へ戻る。通知部１１４は、ＡＰモードに設定された無線装置１０へ切替を通知する（Ｓ２９６）。受付部１１６が許可を受けつければ（Ｓ２９８のＹ）、切替部１１８は、ＳＴＡモードからＡＰモードへの切替処理を実行する（Ｓ３００）。一方、受付部１１６が許可を受けつけなければ（Ｓ２９８のＮ）、ステップ３００は、スキップされる。
【００８０】
本実施例によれば、端末モードから基地局モードへの切替を決定した場合に、基地局装置に設定された他の無線装置からの許可を受けつければ、切替を実行するので、基地局モードあるいは端末モードを適切に設定できる。また、許可を受けつけてから切り替えるので、切替をスムーズに実行できる。また、切替がスムーズに実行されるので、通信システムの安定性を維持できる。複数の他の無線装置へ同報すべきパケット信号の生成を検出したときに、端末モードから基地局モードへの切替を決定するので、パケット信号を効率的に送信できる。また、パケット信号が効率的に送信されるので、基地局モードに適していることを正確に検出できる。
【００８１】
また、新たに通信システムへ接続したときに、端末モードから基地局モードへの切替を決定するので、それまでの処理量が少ない無線装置を基地局モードに決定できる。また、それまでの処理量が少ない無線装置が基地局モードに決定されるので、基地局モードに適していることを正確に検出できる。また、有線ネットワークへの接続を検出したときに、端末モードから基地局モードへの切替を決定するので、通信システム内におけるパケット信号の転送回数を低減できる。また、通信システム内におけるパケット信号の転送回数が低減されるので、基地局モードに適していることを正確に検出できる。また、ＡＣ電源への接続を検出したときに、端末モードから基地局モードへの切替を決定するので、バッテリの残量に関係なく基地局モードを実行できる。また、バッテリの残量に関係なく基地局モードが実行されるので、基地局モードに適していることを正確に検出できる。
【００８２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【図面の簡単な説明】
【００８３】
【図１】図１（ａ）−（ｂ）は、本発明の実施例に係る通信システムの構成を示す図である。
【図２】図２（ａ）−（ｂ）は、本発明の実施例に係る通信システムの別の構成を示す図である。
【図３】本発明の実施例に係る無線装置の構成を示す図である。
【図４】図３の無線装置における設定手順を示すフローチャートである。
【図５】本発明の実施例に係る通信システムにおける設定手順を示すシーケンス図である。
【図６】本発明の実施例に係る通信システムにおける別の設定手順を示すシーケンス図である。
【図７】図５または図６における決定手順を示すフローチャートである。
【図８】本発明の実施例に係る無線装置の別の構成を示す図である。
【図９】図８の無線装置における設定手順を示すフローチャートである。
【図１０】本発明の実施例に係る無線装置のさらに別の構成を示す図である。
【図１１】図１０の無線装置における設定手順を示すフローチャートである。
【図１２】本発明の実施例に係る無線装置のさらに別の構成を示す図である。
【図１３】図１２の無線装置における設定手順を示すフローチャートである。
【図１４】本発明の実施例に係る無線装置のさらに別の構成を示す図である。
【図１５】図１４の無線装置における設定手順を示すフローチャートである。
【図１６】本発明の実施例に係る無線装置のさらに別の構成を示す図である。
【図１７】図１６の無線装置における設定手順を示すフローチャートである。
【符号の説明】
【００８４】
１０  無線装置、  ２０  アンテナ、  ２２  通信実行部、  ２４  バッテリ、  ２６  無線部、  ２８  変復調部、  ３０  データ処理部、  ３２  制御部、  ３４  操作部、  ３６  ＩＦ部、  ３８  記憶部、  ４０  検出部、  ４２  固定モード受付部、  ４４  切替モード受付部、  ４６  切替部、  ４８  維持部、  ５０  ＡＰ処理部、  ５２  ＳＴＡ処理部、  ６０  選択部、  ６２  切替部、  １００  通信システム、  １１０  検出部、  １１２  決定部、  １１４  通知部、  １１６  受付部、  １１８  切替部、  １２０  接続部、  １２２  有線通信部、  １２４  ＡＣ電源。
【図１】
2010056955.tif 000003
【図２】
2010056955.tif 000004
【図３】
2010056955.tif 000005
【図４】
2010056955.tif 000006
【図５】
2010056955.tif 000007
【図６】
2010056955.tif 000008
【図７】
2010056955.tif 000009
【図８】
2010056955.tif 000010
【図９】
2010056955.tif 000011
【図１０】
2010056955.tif 000012
【図１１】
2010056955.tif 000013
【図１２】
2010056955.tif 000014
【図１３】
2010056955.tif 000015
【図１４】
2010056955.tif 000016
【図１５】
2010056955.tif 000017
【図１６】
2010056955.tif 000018
【図１７】
2010056955.tif 000019